(57)【要約】【課題】車両に搭乗していた人に適したコンテンツを、適したタイミングで提示すること。【解決手段】車両のナンバープレートと当該車両の少なくとも一人の搭乗者の画像を撮影する駐車場入口カメラ３と、複数のコンテンツを選択的に出力する、所定のエリア内の人物を撮影する撮影部IMを設けたデジタルサイネージ装置10と、ナンバープレートの画像から文字解析により地域情報を取得し、搭乗者の画像と地域情報とを関連付けてデータベース(DB)に記憶し、撮影部IMで撮影した人物の画像から当該人物の画像に関連付けて記憶された地域情報を取得し、取得した結果に基づいてデジタルサイネージ装置10で提示するコンテンツを選択させる広告提示サーバ２とを備える。【選択図】図１
2015230478.tif 000002
【特許請求の範囲】
【請求項１】
車両のナンバープレートと当該車両の少なくとも一人の搭乗者の画像を撮影する第１の撮影部と、
上記ナンバープレートの画像から文字解析により地域情報を取得する地域情報取得部と、
上記搭乗者の画像と上記地域情報取得部で得た地域情報とを関連付けて記憶する記憶部と、
複数のコンテンツを選択的に提示可能なコンテンツ提示部と、
上記コンテンツ提示部から所定のエリア内の人物を撮影する第２の撮影部と、
上記第２の撮影部で撮影した人物の画像から当該人物の画像に関連づけて記憶された地域情報を取得し、取得した結果に基づいて上記コンテンツ提示部で提示するコンテンツを選択させる制御部と、
を備えたことを特徴とするコンテンツ提示システム。
【請求項２】
上記第２の撮影部で撮影した人物の画像に基づいて上記記憶部を検索し、当該人物の画像に関連づけて記憶された地域情報を取得する検索部をさらに備えたことを特徴とする請求項１記載のコンテンツ提示システム。
【請求項３】
上記車両の搭乗者全員の画像を撮影する第３の撮影部をさらに備え、
上記記憶部は、上記第３の撮影部で撮影した搭乗者全員の画像と地域情報とを関連付けて記憶する
ことを特徴とする請求項１または２記載の広告提示システム。
【請求項４】
上記第３の撮影部は、上記施設の入口に設置されたことを特徴とする請求項３記載のコンテンツ提示システム。
【請求項５】
上記記憶部は、搭乗者の顔画像を認識してその認識結果と地域情報とを関連付けて記憶することを特徴とする請求項１乃至４いずれか記載の広告提示システム。
【請求項６】
上記記憶部は、搭乗者の画像上の属性を抽出してその抽出結果と地域情報とを関連付けて記憶することを特徴とする請求項１乃至５いずれか記載のコンテンツ提示システム。
【請求項７】
車両のナンバープレートと当該車両の少なくとも一人の搭乗者の画像を撮影する第１の撮影部と、複数の広告コンテンツを選択的に提示可能なコンテンツ提示部と、上記コンテンツ提示部から所定のエリア内の人物を撮影する第２の撮影部とを備えたシステムでのコンテンツ提示方法であって、
上記ナンバープレートの画像から文字解析により地域情報を取得する地域情報取得工程と、
上記搭乗者の画像と上記地域情報取得工程で得た地域情報とを関連付けて記憶する記憶工程と、
上記第２の撮影部で撮影した人物の画像から当該人物の画像に関連付けて記憶された地域情報を取得し、取得した結果に基づいて上記コンテンツ提示部で提示するコンテンツを選択させる制御工程と、
を有したことを特徴とする広告提示方法。
【請求項８】
車両のナンバープレートと当該車両の少なくとも一人の搭乗者の画像を撮影する第１の撮影部と、複数の広告コンテンツを選択的に提示可能なコンテンツ提示部と、上記コンテンツ提示部から所定のエリア内の人物を撮影する第２の撮影部とを備えたシステムが内蔵するコンピュータが実行するプログラムであって、上記コンピュータを、
上記ナンバープレートの画像から文字解析により地域情報を取得する地域情報取得部、
上記搭乗者の画像と上記地域情報取得部で得た地域情報とを関連付けて記憶する記憶部、及び
上記第２の撮影部で撮影した人物の画像から当該人物の画像に関連付けて記憶された地域情報を取得し、取得した結果に基づいて上記コンテンツ提示部で提示するコンテンツを選択させる制御部、
として機能させることを特徴とするプログラム。
【発明の詳細な説明】
【技術分野】
【０００１】
本発明は、例えば顧客が乗用車で来店する郊外型店舗等に好適なコンテンツ提示システム、コンテンツ提示方法及びプログラムに関する。
【背景技術】
【０００２】
従来、広告を閲覧する者の興味を引く広告情報を表示するべく、路線バス後部の表示部に、路線バスに後続する車両のナンバープレートから読み取った地域名の内容に応じた広告を表示するようにした技術が提案されている。（例えば、特許文献１）
【先行技術文献】
【特許文献】
【０００３】
【特許文献１】特開２０１０−２３７４１１号公報
【発明の概要】
【発明が解決しようとする課題】
【０００４】
上記特許文献に記載された技術では、ナンバープレートから読み取った地域名と、レンタカーであるか否か等の情報に基づき、バスの後部で後続する走行中の車両に向けて広告の表示を行なう。そのため、ナンバープレートから得られる情報以外の情報は含まれておらず、広告としての効果が低いという不具合がある。
【０００５】
加えて、上記特許文献に記載された技術は、バスが走行時に後続の車両に向けて広告の表示を行なうものであり、表示を見た人が表示された商品等をその時点ですぐに購入することはできないため、交通安全上の問題を別にしても、広告を行なう適切なタイミングとは言い難い。
【０００６】
本発明は上記のような実情に鑑みてなされたもので、その目的とするところは、車両に搭乗していた人に適したコンテンツを、適したタイミングで提示することが可能なコンテンツ提示システム、コンテンツ提示方法及びプログラムを提供することにある。
【課題を解決するための手段】
【０００７】
本発明の一態様は、車両のナンバープレートと当該車両の少なくとも一人の搭乗者の画像を撮影する第１の撮影部と、上記ナンバープレートの画像から文字解析により地域情報を取得する地域情報取得部と、上記搭乗者の画像と上記地域情報取得部で得た地域情報とを関連付けて記憶する記憶部と、複数のコンテンツを選択的に提示可能なコンテンツ提示部と、上記コンテンツ提示部から所定のエリア内の人物を撮影する第２の撮影部と、上記第２の撮影部で撮影した人物の画像から当該人物の画像に関連づけて記憶された地域情報を取得し、取得した結果に基づいて上記コンテンツ提示部で提示するコンテンツを選択させる制御部と、を備えたことを特徴とする。
【発明の効果】
【０００８】
本発明によれば、車両に搭乗していた人に適したコンテンツを、適したタイミングで提示することが可能となる。
【図面の簡単な説明】
【０００９】
【図１】本発明の一実施形態に係る広告提示システム全体のシステム全体の接続構成を示すブロック図。
【図２】同実施形態に係る各カメラの配置例を示す図。
【図３】同実施形態に係るデジタルサイネージ装置の外観構成を示す斜視図。
【図４】同実施形態に係るデジタルサイネージ装置の主として電子回路の機能構成を示すブロック図。
【図５】同実施形態に係る駐車場入口部での画像に対する処理内容を示すフローチャート。
【図６】同実施形態に係る店舗入口部での画像に対する処理内容を示すフローチャート。
【図７】同実施形態に係るデジタルサイネージでの来店者の接近に対する処理内容を示すフローチャート。
【発明を実施するための形態】
【００１０】
以下、本発明を郊外型店舗で使用される広告提示システムに適用した場合の一実施形態について、図面を参照して説明する。
【００１１】
図１は、同システム全体の接続構成を示すブロック図であり、無線ＬＡＮを含むネットワーク１を介して、広告提示サーバ２、駐車場入口カメラ３、駐車場俯瞰カメラ４（４ａ，４ｂ）、店舗入口カメラ５、及び店舗内のデジタルサイネージ装置１０，１０，‥‥が接続されている。
【００１２】
広告提示サーバ２は、当該店舗の来客の顔情報を地域情報と関連付けて記憶するデータベースを備え、ネットワーク１を介して上記各カメラ３〜５、デジタルサイネージ装置１０，１０，‥‥に対する統括的な制御動作を実行する。
【００１３】
図２は、上記駐車場入口カメラ３、駐車場俯瞰カメラ４（４ａ，４ｂ）、及び店舗入口カメラ５の配置例を示す。  
駐車場入口カメラ３は、駐車場ＰＫの入口部ＧＴに向けて設置され、道路ＳＴから入ってきて同入口部ＧＴを通過する車両のナンバープレートと、当該車両のフロントシートに座っている搭乗者の顔とを撮影する。
【００１４】
入口部ＧＴが複数ある場合は、複数の入口部毎に設けられる。撮影により得られる画像データは、上記ネットワーク１を介して上記広告提示サーバ２に送られる。また、車両のナンバープレートと搭乗者の顔を複数の画像に分けて撮影しても良い。
【００１５】
駐車場俯瞰カメラ４（４ａ，４ｂ）は、駐車場ＰＫ全体を俯瞰して撮影するもので、同図では２台のカメラ４ａ，４ｂを駐車場ＰＫの対角上に配置して、相互の撮影範囲で死角を生じないように配置している。この駐車場俯瞰カメラ４（４ａ，４ｂ）での撮影による画像データもネットワーク１を介して広告提示サーバ２へ送られる。
【００１６】
店舗入口カメラ５は、店舗ＳＨの入口部ＥＴに向けて設置され、駐車場ＰＫから入ってきて同入口部ＥＴを通過する人物全員の顔を撮影する。撮影により得られる画像データは、上記ネットワーク１を介して上記広告提示サーバ２に送られる。
【００１７】
図３は、上記デジタルサイネージ装置１０の外観構成を示す斜視図である。ここでデジタルサイネージとは、人型のスクリーンを用いたバーチャルマネキンであるとして、説明を行なう。  
このデジタルサイネージ装置１０では、装置筐体１０Ａの上面前端側に、交換可能なサイネージボードＳＢが立設される。このサイネージボードＳＢは、デジタルサイネージ装置１０の本来は矩形の投影可能領域内に収まるように設置された、任意形状を有する半透過板状の構成を有する。
【００１８】
このサイネージボードＳＢの前面下部中央に撮影部ＩＭが設けられ、このデジタルサイネージ装置１０の前方を含む広範囲の画像を取得する。さらに撮影部ＩＭの下方には、一対のスピーカ部ＳＰ，ＳＰが設けられ、ステレオ音声による拡声放音が可能となる。
【００１９】
また上記装置筐体１０Ａの上面後端側に、上記サイネージボードＳＢと平行にミラーＭＲが立設され、後述する投影レンズ部から出射した光像を前面側に全反射して、上記サイネージボードＳＢにその背面側から結像させる。
【００２０】
次に図４により上記デジタルサイネージ装置１０の主として電子回路の機能構成を説明する。同図中、無線通信技術としては例えば無線ＬＡＮ規格であるＩＥＥＥ８０２．１１ａ／ｂ／ｇ／ｎに準拠した無線通信システムに対応するものとする。上記広告提示サーバ２からの通信データは、上記店舗ＳＨ内に設けられた無線ＬＡＮルータ等の上記ネットワーク１を構成する要素を介し、アンテナ２１を用いて無線通信部２２で受信する。無線通信部２２は、受信したデータを復調して画像データ、音声データ及びその他の制御データに分離する。得られた画像データはバスＢを介して投影画像駆動部２３に送られる。
【００２１】
投影画像駆動部２３は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子２４を表示駆動する。
【００２２】
このマイクロミラー素子２４は、アレイ状に配列された複数個の微小ミラーの各傾斜角度を個々に高速でオン／オフ動作して表示動作することで、その反射光により光像を形成する。
【００２３】
一方で、光源部２５から時分割でＲ，Ｇ，Ｂの原色光が循環的に出射される。光源部２５は、半導体発光素子であるＬＥＤを有し、Ｒ，Ｇ，Ｂの原色光を時分割で繰返し出射する。光源部２５が有するＬＥＤは、広義でのＬＥＤとして、ＬＤ（半導体レーザ）や有機ＥＬ素子を含むものとしても良い。
【００２４】
また、ＬＥＤから出射された光を蛍光体に照射することで励起される、元の光とは波長が異なる原色光を用いるものとしても良い。この光源部２５からの原色光が、ミラー２６で全反射して上記マイクロミラー素子２４に照射される。
【００２５】
そして、マイクロミラー素子２４での反射光で光像が形成され、形成された光像が投影レンズ部ＰＬを介して、上記ミラーＭＲで反射された後に上記サイネージボードＳＢに投射される。
【００２６】
また、上記無線通信部２２で復調、分離された音声データは、バスＢを介して音声処理部２７へ送信される。この音声処理部２７は、例えばＰＣＭ音源などの音源回路を有し、送られてきた音声データに基づいてアナログの音声信号を再生して、上記スピーカ部ＳＰ，ＳＰより放音させる。
【００２７】
上記各回路の動作すべてをＣＰＵ２８が制御する。このＣＰＵ２８は、メインメモリ２９及びプログラムメモリ３０と直接接続される。メインメモリ２９は、例えばＳＲＡＭで構成され、ＣＰＵ２８のワークメモリとして機能する。プログラムメモリ３０は、電気的書換可能な不揮発性メモリ、例えばフラッシュＲＯＭで構成され、ＣＰＵ２８が実行する動作プログラムや各種定型データ等を記憶する。
【００２８】
ＣＰＵ２８は、上記プログラムメモリ３０に記憶されている動作プログラムや定型データ等を読出し、メインメモリ２９に展開して記憶させた上で当該プログラムを実行することにより、このデジタルサイネージ装置１０を統括して制御する。
【００２９】
上記ＣＰＵ２８は、操作部３１からの操作信号に応じて各種投影動作を実行する。この操作部３１は、デジタルサイネージ装置１０の本体に備える、店舗ＳＨに来店した客が直接操作するキーのキー操作信号を上記ＣＰＵ２８へ送出する。
【００３０】
上記ＣＰＵ２８はさらに、上記バスＢを介して撮影画像処理部３２、画像メモリ３３と接続される。  
撮影画像処理部３２は、上記撮影部ＩＭの一部を構成する超広角系の撮影レンズ部３４の合焦位置に配置された固体撮像素子、例えばＣＭＯＳイメージセンサ３５を走査駆動して、デジタルサイネージ装置１０の前方を含む広い範囲を撮影した画像信号を得る。
【００３１】
このＣＭＯＳイメージセンサ３５の出力する画像信号は、Ａ／Ｄ変換回路３６でデジタル化された後に上記撮影画像処理部３２に送られる。撮影画像処理部３２は、得られた画像データを適宜画像メモリ３３に一時的に保存し、顔認識技術により画像中から人物の顔を認識する。
【００３２】
さらに撮影画像処理部３２は、顔認識により得られた、客の顔画像の特徴情報を取り纏めてファイル化した上で、バスＢを介して上記無線通信部２２に送る。無線通信部２２では、ＣＰＵ２８の制御の下に、撮影画像処理部３２からの顔画像の特徴情報のデータファイルを、上記広告提示サーバ２に対して送信する。
【００３３】
加えて上記画像メモリ３３には、当該デジタルサイネージ装置１０の設置された位置に応じた商品等の販売促進用の広告コンテンツとしての動画データが予め記憶されているものとする。
【００３４】
次に上記実施形態の動作について説明する。  
図５は、ネットワーク１を介して駐車場入口カメラ３と広告提示サーバ２により実行される、駐車場ＰＫの入口部ＧＴでの撮影画像に対する処理内容を示す。その処理当初、駐車場入口カメラ３において撮影画像の変化により、入場する車両があるか否かを繰返し判断することで、入場する車両を待機する（ステップＳ１０１）。
【００３５】
入場する車両があったと判断した場合（ステップＳ１０１のＹｅｓ）、駐車場入口カメラ３では当該車両のナンバープレートと、フロントシートに座っている人物の顔とを撮影する（ステップＳ１０２）。  
この場合、撮影画像中からナンバープレートの形状パターンを認識する一方で、人物の顔のパターン認識を行ない、合焦位置を可変して複数の画像に分けて撮影を行なうことで、ナンバープレート及び人物の顔それぞれの位置で正確に合焦した画像を取得するようにしても良い。駐車場入口カメラ３は、撮影により得た画像をネットワーク１を介して広告提示サーバ２に送信する。
【００３６】
入場車両のナンバープレートとフロントシートの搭乗者の顔の画像を受信した広告提示サーバ２では、ナンバープレート部分の画像を解析して地域情報を認識する（ステップＳ１０３）。
【００３７】
これと共に広告提示サーバ２は、搭乗者の顔を含む画像に対して顔認識処理により顔の領域を抽出し、合わせて抽出した顔領域の特徴量、例えば顔領域に対する両目と鼻、口相互の間隔の比率や配置情報等をデータ化する（ステップＳ１０４）。
【００３８】
そして、撮影した人数分の顔の領域の画像、顔の特徴量を上記ステップＳ１０３でナンバープレートの画像から抽出した地域情報と関連付けて内部のデータベースに仮登録し（ステップＳ１０５）、以上で駐車場ＰＫの入口部ＧＴでの駐車場入口カメラ３と協働した図５の処理を一旦終了し、次の入場車両に備えて上記ステップＳ１０１からの処理に戻る。
【００３９】
ここで広告提示サーバ２は、合わせて駐車場俯瞰カメラ４（４ａ，４ｂ）と協働し、その撮影画像を用いて、駐車場入口カメラ３で撮影した車両がその後に駐車場ＰＫ内で駐車し、当該車両から搭乗者が降りるまで追跡する。そして、当該車両から降りてくる搭乗者の数を認識した上で、認識した人数の情報を上記ステップＳ１０５で仮登録した情報に関連付けて追加記憶する。
【００４０】
駐車場入口カメラ３と広告提示サーバ２により上記図５に示した駐車場ＰＫの入口部ＧＴでの処理を入場車両毎に繰返し実行することによって、入場した車両の数分だけ、ナンバープレートから読み取った地域情報と搭乗者の少なくとも一部の顔の情報、及び搭乗者数の情報とが広告提示サーバ２のデータベース内に仮登録されていく。
【００４１】
図６は、ネットワーク１を介して店舗入口カメラ５と広告提示サーバ２により実行される、店舗ＳＨの入口部ＥＴでの撮影画像に対する処理内容を示す。その処理当初、店舗入口カメラ５において撮影画像の変化により、来店者があるか否かを繰返し判断することで、客の到来を待機する（ステップＳ３０１）。
【００４２】
来店者があったと判断した場合（ステップＳ３０１のＹｅｓ）、店舗入口カメラ５では入口部ＥＴを通過する来店者全員を撮影する（ステップＳ３０２）。  
この場合、店舗入口カメラ５での撮影により得られた画像データはネットワーク１を介して広告提示サーバ２へ送られる。  
画像データを受信した広告提示サーバ２では、店舗入口カメラ５で得た撮影画像中から、各来店者の顔認識処理を行ない、顔の領域間の画像を抽出した上で特徴量を算出すると共に、各来店者毎の付帯情報、例えば服装の色の傾向や外見上の年齢層、性別等を抽出する（ステップＳ３０３）。
【００４３】
その後、顔認識処理により抽出した顔の領域の画像とその特徴量により、データベースに仮登録している同データを検索し（ステップＳ３０４）、該当するものがあるか否かを判断する（ステップＳ３０５）。
【００４４】
ここで該当する顔の領域の画像とその特徴量がないと判断した場合（ステップＳ３０５のＮｏ）、データベースに仮登録している、上記駐車場入口カメラ３で撮影した画像から得た情報は使えないものとして、次の来店者に備えるべく、上記ステップＳ３０１からの処理に戻る。
【００４５】
またデータベースに仮登録している中から、該当する顔の領域の画像とその特徴量があると判断した場合（ステップＳ３０５のＹｅｓ）、仮登録されているデータに関連付けられている地域情報と搭乗者数の情報とにより、店舗入口カメラ５で得た画像中の顔の領域の画像に対し、該当したと判断した顔の画像を優先して、上記搭乗者数分だけ、顔の領域の画像とその特徴量を、それぞれ地域情報と関連付けてデータベースに本登録する（ステップＳ３０６）。  
その上で、店舗入口カメラ５での撮影画像に対する一連の処理を一旦終了するものとして、次の来店者に備えるべく、上記ステップＳ３０１からの処理に戻る。
【００４６】
次に店舗ＳＨ内に設置されたデジタルサイネージ装置１０，１０，‥‥と広告提示サーバ２とがネットワーク１を介して実行する、店舗ＳＨ内の来店者に対する処理内容について説明する。
【００４７】
図７は、来店者の接近により動作するデジタルサイネージ装置１０の処理内容を示すフローチャートである。個々のデジタルサイネージ装置１０では、撮影部ＩＭにより装置の前方を含む周囲の広い範囲を常時撮影し（ステップＳ５０１）、過去の一定時間分、例えば０．５［秒］分の画像から人物を抽出することで（ステップＳ５０２）、当該デジタルサイネージ装置１０に近付く来店者があるか否かを判断する（ステップＳ５０３）。
【００４８】
ここで近付く来店者がないと判断した場合（ステップＳ５０３のＮｏ）は、上記ステップＳ５０１からの処理に戻り、以後ステップＳ５０１〜Ｓ５０３の処理を繰返し実行することで、来店者が当該デジタルサイネージ装置１０に近付くのを待機する。
【００４９】
上記ステップＳ５０３で当該デジタルサイネージ装置１０に近付く来店者があると判断した場合（ステップＳ５０３のＹｅｓ）、そのデジタルサイネージ装置１０では近付く来店者の顔画像を抽出し、ネットワーク１を介して広告提示サーバ２へ送出する（ステップＳ５０４）。
【００５０】
この顔の画像を受信した広告提示サーバ２では、デジタルサイネージ装置１０からの顔の画像に基づいて、本登録している顔の領域の画像から類似度が高いものを検索し、一定の類似度以上の画像があった場合に、その中から最も類似度の高い画像を選択する。そして、選択した画像に関連付けられている地域情報に応じて、予め用意していた動画コンテンツを当該デジタルサイネージ装置１０に返送する。
【００５１】
デジタルサイネージ装置１０では、顔の画像を広告提示サーバ２に対して送信した後、広告提示サーバ２から、来店者に合わせた地域情報に対応する動画コンテンツを受信したか否か判断する（ステップＳ５０５）。
【００５２】
地域情報に対応する動画コンテンツを受信したと判断した場合（ステップＳ５０６のＹｅｓ）、デジタルサイネージ装置１０ではその地域情報に対応する動画コンテンツを再生してサイネージボードＳＢ上で投影出力する（ステップＳ５０６）。動画コンテンツの再生を終了すると、デジタルサイネージ装置１０では次の来店者に備えるべく、上記ステップＳ５０１からの処理に戻る。
【００５３】
このときデジタルサイネージ装置１０で再生する、来店者に合わせた地域情報に対応する動画コンテンツとしては、例えば天気、交通情報、当該店舗と同一のチェーン展開にある他店舗の情報、割引きがある飲食店の情報等が考えられる。
【００５４】
また上記店舗入口カメラ５において来店者の画像を撮影した際に、来店者毎の付帯情報、例えば服装の色の傾向や外見上の年齢層、性別等を合わせて広告提示サーバ２のデータベースに本登録するものとして説明したが、広告提示サーバ２はその来店者毎の付帯情報を加味したコンテンツを選択して当該デジタルサイネージ装置１０に送信するものとしても良い。
【００５５】
また上記ステップＳ５０５において、地域情報に対応する動画コンテンツを広告提示サーバ２から受信しなかったと判断した場合（ステップＳ５０６のＮｏ）、デジタルサイネージ装置１０では画像メモリ３３に予め記憶している、当該デジタルサイネージ装置１０が設置されている売り場の商品に関連した販売促進用の広告コンテンツとしての動画データを再生してサイネージボードＳＢ上で投影出力する（ステップＳ５０７）。動画の再生を終了すると、デジタルサイネージ装置１０では次の来店者に備えるべく、上記ステップＳ５０１からの処理に戻る。
【００５６】
なお上記図７の処理では、デジタルサイネージ装置１０の画像メモリ３３にも広告コンテンツとしての動画データを記憶しておき、広告提示サーバ２から地域情報に対応した動画データが提供されない場合は、画像メモリ３３に記憶している動画データを再生するものとして説明したが、これに限らず、広告提示サーバ２側で地域情報と関連付けた顔画像が得られない場合でも、広告提示サーバ２からデジタルサイネージ装置１０に対して広告コンテンツを提供するものとしても良い。
【００５７】
以上詳述した如く本実施形態によれば、車両に搭乗していた人に適したコンテンツを、適したタイミングで提示することが可能となる。
【００５８】
また上記実施形態では、デジタルサイネージ装置１０で常時周囲を撮影して来店者の接近を検出するものとして説明したが、これに限らず、例えばデジタルサイネージ装置１０に焦電センサを設けてその検出出力が一定レベルを超えた時点で来店者が接近したものと判断し、あらためて撮影部ＩＭを起動して来店者の画像を撮影するような構成とすることも考えられる。
【００５９】
また、デジタルサイネージ装置１０と撮影部ＩＭとを別体とし、デジタルサイネージ装置１０自体は撮影機能を有さない構成とした上で、店内カメラによりデジタルサイネージ装置１０への来店者の接近を検出するような構成とすることも考えられる。
【００６０】
さらに上記実施形態では、駐車場ＰＫ内を撮影する駐車場俯瞰カメラ４（４ａ，４ｂ）及び店舗入口カメラ５を設け、入口部ＧＴから入場した車両の搭乗者全員の人数等を把握した上で、店舗入口カメラ５においてフロントシートに座っていた人物の画像を検索キーとして、フロントシート以外に座っていた人物の存在も把握し、搭乗者全員を地域情報と関連付けることが可能となる。
【００６１】
なお本実施形態では、近年実用化が進んでいる顔認識技術により搭乗者の識別を行なうことにより、不特定多数の人物が利用する店舗などの施設で、防犯用の監視カメラを兼用して非接触に遠方から個人を識別することが可能となり、システムを容易に実現できる。
【００６２】
また上記実施形態では、人物の画像上の属性、例えば服装の色の傾向や外見上の年齢層、性別等を抽出して付帯情報とし、地域情報とを関連付けて記憶するものとしたので、よりきめ細かいコンテンツの提供に寄与できるだけでなく、例えば車椅子に乗っている人物、白い杖を持っている人物など、何らかの障害を持っている弱者に対しても、ガイドメッセージの種類を異ならせて出力するなど、適切なサービスを提供できる。
【００６３】
なお上記実施形態は店舗における広告コンテンツを提供するシステムに適用した場合について説明したが、本発明はシステムを付設する施設や提供するコンテンツの種類等を限定するものではない。
【００６４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６５】
以下に、本願出願の当初の特許請求の範囲に記載された発明を付記する。  
請求項１記載の発明は、車両のナンバープレートと当該車両の少なくとも一人の搭乗者の画像を撮影する第１の撮影部と、上記ナンバープレートの画像から文字解析により地域情報を取得する地域情報取得部と、上記搭乗者の画像と上記地域情報取得部で得た地域情報とを関連付けて記憶する記憶部と、複数のコンテンツを選択的に提示可能なコンテンツ提示部と、上記コンテンツ提示部から所定のエリア内の人物を撮影する第２の撮影部と、上記第２の撮影部で撮影した人物の画像から当該人物の画像に関連づけて記憶された地域情報を取得し、取得した結果に基づいて上記コンテンツ提示部で提示するコンテンツを選択させる制御部と、を備えたことを特徴とする。  
請求項２記載の発明は、上記請求項１記載の発明において、上記第２の撮影部で撮影した人物の画像に基づいて上記記憶部を検索し、当該人物の画像に関連づけて記憶された地域情報を取得する検索部をさらに備えたことを特徴とする。  
請求項３記載の発明は、上記請求項１または２記載の発明において、上記車両の搭乗者全員の画像を撮影する第３の撮影部をさらに備え、上記記憶部は、上記第３の撮影部で撮影した搭乗者全員の画像と地域情報とを関連付けて記憶することを特徴とする。  
請求項４記載の発明は、上記請求項３記載の発明において、上記第３の撮影部は、上記施設の入口に設置されたことを特徴とする。  
請求項５記載の発明は、上記請求項１乃至４いずれか記載の発明において、上記記憶部は、搭乗者の顔画像を認識してその認識結果と地域情報とを関連付けて記憶することを特徴とする。  
請求項６記載の発明は、上記請求項１乃至５いずれか記載の発明において、上記記憶部は、搭乗者の画像上の属性を抽出してその抽出結果と地域情報とを関連付けて記憶することを特徴とする。  
請求項７記載の発明は、車両のナンバープレートと当該車両の少なくとも一人の搭乗者の画像を撮影する第１の撮影部と、複数の広告コンテンツを選択的に提示可能なコンテンツ提示部と、上記コンテンツ提示部から所定のエリア内の人物を撮影する第２の撮影部とを備えたシステムでのコンテンツ提示方法であって、上記ナンバープレートの画像から文字解析により地域情報を取得する地域情報取得工程と、上記搭乗者の画像と上記地域情報取得工程で得た地域情報とを関連付けて記憶する記憶工程と、上記第２の撮影部で撮影した人物の画像から当該人物の画像に関連付けて記憶された地域情報を取得し、取得した結果に基づいて上記コンテンツ提示部で提示するコンテンツを選択させる制御工程と、を有したことを特徴とする。  
請求項８記載の発明は、車両のナンバープレートと当該車両の少なくとも一人の搭乗者の画像を撮影する第１の撮影部と、複数の広告コンテンツを選択的に提示可能なコンテンツ提示部と、上記コンテンツ提示部から所定のエリア内の人物を撮影する第２の撮影部とを備えたシステムが内蔵するコンピュータが実行するプログラムであって、上記コンピュータを、上記ナンバープレートの画像から文字解析により地域情報を取得する地域情報取得部、上記搭乗者の画像と上記地域情報取得部で得た地域情報とを関連付けて記憶する記憶部、及び上記第２の撮影部で撮影した人物の画像から当該人物の画像に関連付けて記憶された地域情報を取得し、取得した結果に基づいて上記コンテンツ提示部で提示するコンテンツを選択させる制御部、として機能させることを特徴とする。
【符号の説明】
【００６６】
１…ネットワーク、
２…広告提示サーバ、
３…駐車場入口カメラ、
４（４ａ，４ｂ）…駐車場俯瞰カメラ、
５…店舗入口カメラ、
１０…デジタルサイネージ装置、
１０Ａ…装置筐体、
２１…アンテナ、
２２…無線通信部、
２３…投影画像駆動部、
２４…マイクロミラー素子、
２５…光源部、
２６…ミラー、
２７…音声処理部、
２８…ＣＰＵ、
２９…メインメモリ、
３０…プログラムメモリ、
３１…操作部、
３２…撮影画像処理部、
３３…画像メモリ、
３４…撮影レンズ部、
３５…ＣＭＯＳイメージセンサ、
３６…Ａ／Ｄ変換回路、
Ｂ…バス、
ＥＴ…（店舗）入口部、
ＧＴ…（駐車場）入口部、
ＩＭ…撮影部、
ＭＲ…ミラー、
ＰＫ…駐車場、
ＳＢ…サイネージボード、
ＳＨ…店舗、
ＳＰ…スピーカ部。
【図２】
2015230478.tif 000003
【図３】
2015230478.tif 000004
【図４】
2015230478.tif 000005
【図５】
2015230478.tif 000006
【図６】
2015230478.tif 000007
【図７】
2015230478.tif 000008
【図１】
2015230478.tif 000009